【手続補正書】
【提出日】平成28年11月2日(2016.11.2)
【手続補正１】
【補正対象書類名】特許請求の範囲
【補正対象項目名】全文
【補正方法】変更
【補正の内容】
【特許請求の範囲】
【請求項１】
通電時に電磁吸引力を発生する電磁コイル（３６）と、
駆動源からの回転駆動力を受けて回転中心線（Ｏ）を中心に回転するロータ（１０）と、
前記電磁コイルの通電時に前記電磁吸引力によって前記ロータに連結されるとともに、前記電磁コイルの非通電時に前記ロータから切り離されるアーマチュア（２０）と、
前記ロータの内部に配置されるとともに、内部に前記電磁コイルを収納するステータ（３０）とを備え、
前記ロータは、前記回転中心線を中心とする外側円筒部（１１）と、前記外側円筒部の内側に配置され、前記回転中心線を中心とする内側円筒部（１２）と、前記外側円筒部および前記内側円筒部の前記アーマチュア側の端部同士を結ぶ壁部（１３）とを有し、
前記ステータは、前記回転中心線を中心とする外側円筒部（３１）と、前記ステータの外側円筒部の内側に配置され、前記回転中心線を中心とする内側円筒部（３２）と、前記ステータの外側円筒部および内側円筒部の前記アーマチュアから離れた側である反アーマチュア側の端部同士を結ぶ壁部（３３）とを有し、
前記ステータの外側円筒部および内側円筒部は、前記ロータの外側円筒部、内側円筒部および壁部に囲まれた内部空間（６００）に配置され、前記ステータの外側円筒部の外周面（３１１）は、前記ロータの外側円筒部の内周面（１１１）に対して隙間（Ｇ１）を有して対向し、かつ、前記ステータの内側円筒部の内周面（３２１）は、前記ロータの内側円筒部の外周面（１２１）に対して隙間（Ｇ２）を有して対向しており、
前記電磁コイルは、前記ステータの外側円筒部、内側円筒部および壁部に囲まれた内部空間（３００）に配置されており、
前記ロータの外側円筒部（１１）の内周面（１１１）は、第１内周面（１１１ａ）と、前記第１内周面よりも前記反アーマチュア側に位置し、直径（Ｒ１１１ｂ）が前記第１内周面の直径（Ｒ１１１ａ）よりも大きな第２内周面（１１１ｂ）と、テーパ形状の段差部とを有する段付き形状であり、
前記ロータの内側円筒部（１２）の外周面（１２１）は、第１外周面（１２１ａ）と、前記第１外周面よりも前記反アーマチュア側に位置し、直径（Ｒ１２１ｂ）が前記第１外周面の直径（Ｒ１２１ａ）よりも小さな第２外周面（１２１ｂ）と、テーパ形状の段差部とを有する段付き形状であり、
前記ロータの外側円筒部および内側円筒部は、前記ロータの外側円筒部と内側円筒部の前記ロータの径方向における間隔について、前記回転中心線の軸線方向での中心位置よりも前記アーマチュア側の位置での第１間隔（Ｄ１１）と比較して、前記中心位置よりも前記反アーマチュア側の位置での第２間隔（Ｄ１２）が広い（Ｄ１１＜Ｄ１２）という関係を有し、
前記ステータの外側円筒部（３１）の外周面（３１１）は、第１外周面（３１１ａ）と、前記第１外周面よりも前記反アーマチュア側に位置し、直径（Ｒ３１１ｂ）が前記第１外周面の直径（Ｒ３１１ａ）よりも大きな第２外周面（３１１ｂ）と、テーパ形状の段差部とを有する段付き形状であり、
前記ステータの内側円筒部（３２）の内周面（３２１）は、第１内周面（３２１ａ）と、前記第１内周面よりも前記反アーマチュア側に位置し、直径（Ｒ３２１ｂ）が前記第１内周面の直径（Ｒ３２１ａ）よりも小さな第２内周面（３２１ｂ）と、テーパ形状の段差部とを有する段付き形状であり、
前記ステータの外側円筒部および前記内側円筒部は、前記ステータの外側円筒部の外周面と前記ステータの内側円筒部の内周面との間の前記ステータの径方向における距離について、前記回転中心線の軸線方向での中心位置よりも前記アーマチュア側の位置での第１距離（Ｄ２１）と比較して、前記中心位置よりも前記反アーマチュア側の位置での第２距離（Ｄ２２）が長い（Ｄ２１＜Ｄ２２）という関係を有し、
前記ステータの外側円筒部と内側円筒部の少なくとも一方は、前記ステータの径方向における厚さについて、前記回転中心線の軸線方向での中心位置よりも前記アーマチュア側の位置での第１厚さ（Ｔ１、Ｔ３）と比較して、前記中心位置よりも前記反アーマチュア側の位置での第２厚さ（Ｔ２、Ｔ４）が厚い（Ｔ１＜Ｔ２、Ｔ３＜Ｔ４）という関係を有することを特徴とする電磁クラッチ。
【請求項２】
前記ロータの外側円筒部の段差部と、前記ロータの内側円筒部の段差部と、前記ステータの外側円筒部の段差部と、前記ステータの内側円筒部の段差部とのそれぞれは、前記回転中心線の軸線方向における前記電磁コイルの前記アーマチュア側の端の位置（Ｐ１）と前記電磁コイルの前記反アーマチュア側の端の位置（Ｐ２）との間に位置することを特徴とする請求項１に記載の電磁クラッチ。
【請求項３】
前記ステータの外側円筒部（３１）は、前記第１厚さ（Ｔ１）と比較して、前記第２厚さ（Ｔ２）が厚いという関係を有し、
前記ロータの外側円筒部は、前記ロータの径方向における厚さについて、前記回転中心線の軸線方向での中心位置よりも前記アーマチュア側の位置での第１厚さ（Ｔ１１）と比較して、前記中心位置よりも前記反アーマチュア側の位置での第２厚さ（Ｔ１２）が薄いという関係を有することを特徴とする請求項１または２に記載の電磁クラッチ。
【請求項４】
前記ステータの内側円筒部は、前記第１厚さ（Ｔ３）と比較して、前記第２厚さ（Ｔ４）が厚いという関係を有し、
前記ロータの内側円筒部は、前記ロータの径方向における厚さについて、前記回転中心線の軸線方向での中心位置よりも前記アーマチュア側の位置での第１厚さ（Ｔ１３）と比較して、前記中心位置よりも前記反アーマチュア側の位置での第２厚さ（Ｔ１４）が薄いという関係を有することを特徴とする請求項１ないし３のいずれか１つに記載の電磁クラッチ。
【手続補正２】
【補正対象書類名】明細書
【補正対象項目名】０００９
【補正方法】変更
【補正の内容】
【０００９】
上記目的を達成するため、請求項１に記載の発明では、
通電時に電磁吸引力を発生する電磁コイル（３６）と、
駆動源からの回転駆動力を受けて回転中心線（Ｏ）を中心に回転するロータ（１０）と、
電磁コイルの通電時に電磁吸引力によってロータに連結されるとともに、電磁コイルの非通電時にロータから切り離されるアーマチュア（２０）と、
ロータの内部に配置されるとともに、内部に電磁コイルを収納するステータ（３０）とを備え、
ロータは、回転中心線を中心とする外側円筒部（１１）と、外側円筒部の内側に配置され、回転中心線を中心とする内側円筒部（１２）と、外側円筒部および内側円筒部のアーマチュア側の端部同士を結ぶ壁部（１３）とを有し、
ステータは、回転中心線を中心とする外側円筒部（３１）と、ステータの外側円筒部の内側に配置され、回転中心線を中心とする内側円筒部（３２）と、ステータの外側円筒部および内側円筒部のアーマチュアから離れた側である反アーマチュア側の端部同士を結ぶ壁部（３３）とを有し、
ステータの外側円筒部および内側円筒部は、ロータの外側円筒部、内側円筒部および壁部に囲まれた内部空間（６００）に配置され、ステータの外側円筒部の外周面（３１１）は、ロータの外側円筒部の内周面（１１１）に対して隙間（Ｇ１）を有して対向し、かつ、ステータの内側円筒部の内周面（３２１）は、ロータの内側円筒部の外周面（１２１）に対して隙間（Ｇ２）を有して対向しており、
電磁コイルは、ステータの外側円筒部、内側円筒部および壁部に囲まれた内部空間（３００）に配置されており、
ロータの外側円筒部（１１）の内周面（１１１）は、第１内周面（１１１ａ）と、第１内周面よりも反アーマチュア側に位置し、直径（Ｒ１１１ｂ）が第１内周面よりも大きな第２内周面（１１１ｂ）と、テーパ形状の段差部とを有する段付き形状であり、
ロータの内側円筒部（１２）の外周面（１２１）は、第１外周面（１２１ａ）と、第１外周面よりも反アーマチュア側に位置し、直径（Ｒ１２１ｂ）が第１外周面よりも小さな第２外周面（１２１ｂ）と、テーパ形状の段差部とを有する段付き形状であり、
ロータの外側円筒部および内側円筒部は、ロータの外側円筒部と内側円筒部のロータの径方向における間隔について、回転中心線の軸線方向での中心位置よりもアーマチュア側の位置での第１間隔（Ｄ１１）と比較して、中心位置よりも反アーマチュア側の位置での第２間隔（Ｄ１２）が広い（Ｄ１１＜Ｄ１２）という関係を有し、
ステータの外側円筒部（３１）の外周面（３１１）は、第１外周面（３１１ａ）と、第１外周面よりも反アーマチュア側に位置し、直径（Ｒ３１１ｂ）が第１外周面よりも大きな第２外周面（３１１ｂ）と、テーパ形状の段差部とを有する段付き形状であり、
ステータの内側円筒部（３２）の内周面（３２１）は、第１内周面（３２１ａ）と、第１内周面よりも反アーマチュア側に位置し、直径（Ｒ３２１ｂ）が第１内周面よりも小さな第２内周面（３２１ｂ）と、テーパ形状の段差部とを有する段付き形状であり、
ステータの外側円筒部および内側円筒部は、ステータの外側円筒部の外周面とステータの内側円筒部の内周面との間のステータの径方向における距離について、回転中心線の軸線方向での中心位置よりもアーマチュア側の位置での第１距離（Ｄ２１）と比較して、中心位置よりも反アーマチュア側の位置での第２距離（Ｄ２２）が長い（Ｄ２１＜Ｄ２２）という関係を有し、
ステータの外側円筒部と内側円筒部の少なくとも一方は、ステータの径方向における厚さについて、回転中心線の軸線方向での中心位置よりもアーマチュア側の位置での第１厚さ（Ｔ１、Ｔ３）と比較して、中心位置よりも反アーマチュア側の位置での第２厚さ（Ｔ２、Ｔ４）が厚い（Ｔ１＜Ｔ２、Ｔ３＜Ｔ４）という関係を有することを特徴としている。
【手続補正３】
【補正対象書類名】明細書
【補正対象項目名】００１６
【補正方法】変更
【補正の内容】
【００１６】
また、本発明においては、ロータの外側円筒部と内側円筒部の間隔を、アーマチュア側よりも反アーマチュア側を広くすることにともなって、請求項３、４のように、ロータの外側円筒部と内側円筒部の反アーマチュア側の厚さが、アーマチュア側よりも薄くなっても、反アーマチュア側の部分は、磁束密度が低い部分であり、磁束密度が低い部分を薄くしても、磁気性能への影響は小さい。したがって、このことからも、本発明によれば、磁気性能の低下を抑制できると言える。
【手続補正４】
【補正対象書類名】明細書
【補正対象項目名】００４７
【補正方法】変更
【補正の内容】
【００４７】
同様に、内側円筒部１２の外周面１２１は、第１外周面１２１ａと第２外周面１２１ｂとを有する段付き形状である。第１外周面１２１ａは、直径Ｒ１２１ａが均一である。第２外周面１２１ｂは、第１外周面１２１ａよりも反アーマチュア側に位置し、直径Ｒ１２１ｂが均一かつ第１外周面１２１ａよりも小さい。